(57)【特許請求の範囲】
【請求項１】
一対の混合器と局部発振器とをそれぞれ有し、前記一対の混合器に入力されたデジタルテレビジョン信号からベースバンド信号を直接出力する第一及び第二の直接変換回路を備え、前記第一の直接変換回路に分周器又は逓倍器を設け、前記一対の混合器、前記局部発振器、前記分周器及び前記逓倍器を平衡回路で構成し、
前記第一の直接変換回路における前記局部発振器の発振信号を前記分周器又は前記逓倍器を介して前記第一の直接変換回路の前記一対の混合器に入力する一方、前記第二の直接変換回路における前記局部発振器の発振信号を当該第二の直接変換回路の前記一対の混合器に直接入力し、
前記分周器又は前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならない又は各発振周波数帯の重複する端部を除いて互いに重ならないように、分周比又は逓倍数が定められたことを特徴とするデュアル型デジタルテレビジョンチューナ。
【請求項２】
一対の混合器と局部発振器とをそれぞれ有し、前記一対の混合器に入力されたデジタルテレビジョン信号からベースバンド信号を直接出力する第一及び第二の直接変換回路を備え、前記第一の直接変換回路に分周器を設けると共に、前記第二の直接変換回路に逓倍器を設け、前記一対の混合器、前記局部発振器、前記分周器及び前記逓倍器を平衡回路で構成し、前記第一の直接変換回路における前記局部発振器の発振信号を前記分周器を介して前記第一の直接変換回路の前記一対の混合器に入力し、前記第二の直接変換回路における前記局部発振器の発振信号を前記逓倍器を介して前記第二の直接変換回路の前記一対の混合器に入力し、
前記分周器及び前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならないように、分周比及び逓倍数が定められたことを特徴とするデュアル型デジタルテレビジョンチューナ。
【請求項３】
前記第一の直接変換回路及び前記第二の直接変換回路をそれぞれ集積回路で構成したことを特徴とする請求項１又は請求項２記載のデュアル型デジタルテレビジョンチューナ。
【発明の詳細な説明】
【０００１】
【発明の属する技術分野】
この発明は、二つの系統を備えたデュアル型のデジタルテレビジョンチューナに関する。
【０００２】
【従来の技術】
図４は従来のデュアル型デジタルテレビジョンチューナの構成を示す。屋外のダウンコンバータ（図示せず）によって周波数変換されたデジタルテレビジョンの中間周波信号（ＩＦ）は分配器５１にとって二分配され、その一方が第一の直接変換回路５２に入力される。第一の直接変換回路５２は中間周波信号が入力される第一の中間周波増幅器５３と、その次段に設けられた第一の可変利得増幅器５４と、その次段に設けられた一対の第一の混合器５５、５６と、局部発振信号を発生する第一の局部発振器５７と、局部発振信号を直交する二つの位相に分けて各混合器５５、５６に入力する第一の移相器５８と、各混合器５５、５６の次段に設けられた一対の第一のベースバンド信号増幅器６９、６０とを有する。
【０００３】
また、第一の直接変換回路５２の外部には、第一の局部発振器５７の発振周波数を制御する第一のＰＬＬ回路６１と、ベースバンド信号（Ｉ／Ｑ）を復調する復調器６２等が設けられる。
【０００４】
分配器５１から出力される他方の中間周波信号は第二の直接変換回路６３に入力される。第二の直接変換回路６３は中間周波信号が入力される第二の中間周波増幅器６４と、その次段に設けられた第二の可変利得増幅器６５と、その次段に設けられた一対の第二の混合器６６、６７と、局部発振信号を発生する第二の局部発振器６８と、局部発振信号を直交する二つの位相に分けて各混合器６６、６７に入力する第二の移相器６９と、各混合器６６、６７の次段に設けられた一対の第二のベースバンド信号増幅器７０、７１とを有する。
【０００５】
また、第二の直接変換回路６３の外部には、第二の局部発振器６８の発振周波数を制御する第二のＰＬＬ回路７２と、ベースバンド信号（Ｉ／Ｑ）を復調する復調器７３等が設けられる。
【０００６】
二つの局部発振器５７、６８はそれぞれの直接変換回路５２、６３が受信すべきチャンネルの中間周波数とほぼ同じ周波数で発振するように制御される。そして、第一の直接変換回路５２においては一対の混合器５５、５６に互いに位相が９０°異なった局部発振信号が入力されるので、各ベースバンド信号増幅器５９、６０からは互いに直交するベースバンド信号が出力される。
【０００７】
同様に、第一の直接変換回路５２においても、一対の混合器６６、６７に互いに位相が９０°異なった局部発振信号が入力されるので、各ベースバンド信号増幅器７０、７１からは互いに直交するベースバンド信号が出力される。
【０００８】
各ベースバンド信号はそれぞれの復調器６２、６３内で加算された後に復調さ、さらに、アナログ信号に変換されて映像信号等に変換される。
【０００９】
【発明が解決しようとする課題】
上記の構成で、第一の直接変換回路で受信する中間周波信号のチャンネルと第二の直接変換回路で受信する中間周波信号のチャンネルとが同じであると、二つの局部発振器の発振周波数が同一となる。このため、局部発振信号相互の干渉によってビート（僅かの差によるビート）が発生し、局部発振信号の位相ノイズが悪化し受信性能が低下する。
【００１０】
そこで、本発明のデュアル型デジタルテレビジョンチューナにおいては、二つの局部発振信号による干渉をなくして位相ノイズを低減することを目的とする。
【００１１】
【課題を解決するための手段】
上記の課題を解決するため、本発明のデュアル型デジタルテレビジョンチューナは、一対の混合器と局部発振器とをそれぞれ有し、前記一対の混合器に入力されたデジタルテレビジョン信号からベースバンド信号を直接出力する第一及び第二の直接変換回路を備え、前記第一の直接変換回路に分周器又は逓倍器を設け、前記一対の混合器、前記局部発振器、前記分周器及び前記逓倍器を平衡回路で構成し、前記第一の直接変換回路における前記局部発振器の発振信号を前記分周器又は前記逓倍器を介して前記第一の直接変換回路の前記一対の混合器に入力する一方、前記第二の直接変換回路における前記局部発振器の発振信号を当該第二の直接変換回路の前記一対の混合器に直接入力し、前記分周器又は前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならない又は各発振周波数帯の重複する端部を除いて互いに重ならないように、分周比又は逓倍数が定められたことを特徴とする。
【００１２】
また、本発明のデュアル型デジタルテレビジョンチューナは、一対の混合器と局部発振器とをそれぞれ有し、前記一対の混合器に入力されたデジタルテレビジョン信号からベースバンド信号を直接出力する第一及び第二の直接変換回路を備え、前記第一の直接変換回路に分周器を設けると共に、前記第二の直接変換回路に逓倍器を設け、前記一対の混合器、前記局部発振器、前記分周器及び前記逓倍器を平衡回路で構成し、前記第一の直接変換回路における前記局部発振器の発振信号を前記分周器を介して前記第一の直接変換回路の前記一対の混合器に入力し、前記第二の直接変換回路における前記局部発振器の発振信号を前記逓倍器を介して前記第二の直接変換回路の前記一対の混合器に入力し、前記分周器及び前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならないように、分周比及び逓倍数が定められたことを特徴とする。
【００１４】
また、前記第一の直接変換回路及び前記第二の直接変換回路をそれぞれ集積回路で構成した。
【００１５】
【発明の実施の形態】
以下、図面に従って本発明のデュアル型デジタルテレビジョンチューナを説明する。図１は実施形態を示す回路図であり、屋外のダウンコンバータ（図示せず）によって周波数変換されたおよそ９５０ＭＨｚ〜２１５０ＭＨｚのデジタルテレビジョンの中間周波信号（ＩＦ、図２の第一の周波数帯域Ａ参照）は分配器１によって二分配され、その一方が第一の直接変換回路１０に入力される。
【００１６】
第一の直接変換回路１０は集積回路化されており、中間周波信号が入力される第一の中間周波増幅器１１と、その次段に設けられ、ＡＧＣ電圧によって利得制御される第一の可変利得増幅器１２と、その次段に設けられ、ベースバンド信号（Ｉ信号、Ｑ信号）を出力する一対の第一の混合器１３、１４と、発振信号を出力する第一の局部発振器１５と、第一の局部発振器１５の発振周波数を１／Ｎ（Ｎは例えば２）に分周する分周器１６と、分周された発振信号を直交する二つの位相に分けて各混合器１３、１４に局部発振信号として入力する第一の移相器１７と、各混合器１３、１４の次段に設けられた一対の第一のベースバンド信号増幅器１８、１９とを有する。
【００１７】
そして、第一の中間周波増幅器１１、第一の可変利得増幅器１２、一対の第一の混合器１３、１４、第一の局部発振器１５、分周器１６、第一の移相器１７、一対の第一のベースバンド信号増幅器１８、１９は全て平衡回路で構成されている。
【００１８】
また、第一の直接変換回路１０の外部には、第一の局部発振器１５の発振周波数を制御する第一のＰＬＬ回路２１と、ベースバンド信号を復調する第一の復調器２２等が設けられる。第一のＰＬＬ回路２１及び第一の復調器２２も平行回路で構成されている。
【００１９】
以上の構成において、一対の第一の混合器１３、１４が直接変換するためには、混合器１３、１４には中間周波信号のうちの受信すべきチャンネルと同じ周波数の局部発振信号が入力されなければならないので、分周器１６の分周比がＮであることから、第一の局部発振器１５の発振周波数は中間周波信号の周波数のＮ倍（上記の例ではＮ＝２であるから１９５０ＭＨ〜４３００ＭＨ、図２の第二の周波数帯域Ｂ参照）となるように第一のＰＬＬ回路２１によって制御される。
そして、混合器１３、１４から位相が互いに直交するベースバンド信号が出力される。
【００２０】
第一の復調器２２からは復調によって得られたデジタル信号が出力され、デジタル信号は図示しないＤ／Ａ変換器によってアナログの映像信号、音声信号に変換される。
【００２１】
一方、分配器１から出力された他方の中間周波信号は第二の直接変換回路３０に入力される。第二の直接変換回路３０も集積回路化されており、中間周波信号が入力される第二の中間周波増幅器３１と、その次段に設けられ、ＡＧＣ電圧によって利得制御される第二の可変利得増幅器３２と、その次段に設けられ、ベースバンド信号（Ｉ信号、Ｑ信号）を出力する一対の第二の混合器３３、３４と、発振信号を出力する第二の局部発振器３５と、第二の局部発振器３５の発振周波数をＭ倍（Ｍは例えば２）に逓倍する逓倍器３６と、逓倍された発振信号を直交する二つの位相に分けて各混合器３３、３４に局部発振信号として入力する第二の移相器３７と、各混合器３３、３４の次段に設けられた一対の第二のベースバンド信号増幅器３８、３９とを有する。
【００２２】
そして、第二の中間周波増幅器３１、第二の可変利得増幅器３２、一対の第二の混合器３３、３４、第二の局部発振器３５、逓倍器３６、第二の移相器３７、一対の第二のベースバンド信号増幅器３８、３９は全て平衡回路で構成されている。
【００２３】
また、第二の直接変換回路３０の外部には、第二の局部発振器３５の発振周波数を制御する第二のＰＬＬ回路４１と、ベースバンド信号を復調する第二の復調器４２等が設けられる。第二のＰＬＬ回路４１及び第二の復調器４２も平衡回路で構成されている。
【００２４】
以上の構成において、一対の第二の混合器３３、３４が直接変換するためには、第一の混合器３３、３４には中間周波信号のうちの受信すべきチャンネルと同じ周波数の局部発振信号が入力されなければならないので、逓倍器３６の逓倍比がＮであることから、第二の局部発振器３５の発振周波数は中間周波信号の周波数の１／Ｎ倍（上記の例ではＮ＝２であるから４７５ＭＨ〜１０７５ＭＨｚ、図２の第三の周波数帯域Ｃ参照）となるように第二のＰＬＬ回路４１によって制御される。
そして、混合器３３、３４から位相が互いに直交するベースバンド信号が出力される。
【００２５】
第二の復調器４２からは復調によって得られたデジタル信号が出力され、デジタル信号は図示しないＤ／Ａ変換器によってアナログの映像信号、音声信号に変換される。
【００２６】
上記の例では、第一の局部発振器１５の発振周波数と第二の局部発振器３５の発振周波数とは図２の第二の周波数帯域Ｂと第三の周波数帯域Ｃとの比較から明らかなように大きく離れ、発振周波数の差が最小となる場合でも１０７５ＭＨｚ（＝１９００ＭＨｚ−１０７５ＭＨｚ）となり、互いの発振周波数帯が重なることが無く直接的な干渉が無くなる。
【００２７】
なお、分周比Ｎと逓倍比Ｍとは上記のように同じ数値の正の整数に限らず、一般的には正の有理数であればよく、その数値の設定によって第一の局部発振器１５の発振周波数帯と第二の局部発振器３５の発振周波数帯とが互いに重ならないようにすることが出来る。
【００２８】
また、第一の直接変換回路１０と第二の直接変換回路３０とが同一チャンネルの中間周波信号を受信すると、第一の混合器１３、１４に入力される局部発振信号と第二の混合器３３、３４に入力される局部発振信号とは周波数が同じとなるが、干渉が起きやすい分周器１６以降第一の混合器１３、１４までの間と、逓倍器３６以降第二の混合器３３、３４までの間では平衡回路となっているので各回路からの局部発振信号の放射が抑えられ、干渉が少なくなる。また、集積回路化することによって、小型化が図れることは当然であるが、第一の混合器１３、１４及び第二の混合器３３、３４等の各回路構成部が平衡回路となることで、それらの二つの信号入力端同士、信号出力端同士が近づくので、放射された平行の局部発振信号が位相キャンセルされ易くなり互いの干渉は一層少なくなる。
【００２９】
前述までは、第一の直接変換回路１０に分周器１６を設け、第二の直接変換回路３０に逓倍器３６を設けた例で説明したが、第一の直接変換回路１０の分周器１６又は第二の直接変換回路３０の逓倍器３６を削除し、いずれか一方の直接変換回路に分周器又は逓倍器を設けるようにしても上記の効果を失うものではない
。
【００３０】
例えば、図３に示す第一の直接変換回路２０は図１に示す第一の直接変換回路１０に置換し得るものであり、図１の第一の直接変換回路１０の分周器１６を削除した構成である。この場合の第一の局部発振器２５は図２に示す第一の周波数帯域Ａで発振する。そのため、図２に示すようにその高い方の狭い帯域で第二の直接変換回路３０の第二の局部発振器３５の発振周波数帯域（図２のＣ）と重なるが、この確率は非常に低いので、実用的な面から上記の効果を奏する。
【００３１】
この場合においても第二の直接変換回路３０の逓倍器３６の逓倍比Ｍを適宜に設定すれば（例えばＭ＝３）、第一の局部発振器２５の発振周波数帯と第二の局部発振器３５の発振周波数帯とが互いに重ならないようにすることが出来る。
【００３２】
【発明の効果】
以上説明したように、一対の混合器と局部発振器とをそれぞれ有する第一及び第二の直接変換回路を備え、第一の直接変換回路に分周器又は逓倍器を設け、一対の混合器、局部発振器、分周器及び逓倍器を平衡回路で構成し、第一の直接変換回路における局部発振器の発振信号を分周器又は逓倍器を介して第一の直接変換回路の一対の混合器に入力する一方、前記第二の直接変換回路における前記局部発振器の発振信号を当該第二の直接変換回路の前記一対の混合器に直接入力し、前記分周器又は前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならない又は各発振周波数帯の重複する端部を除いて互いに重ならないように、分周比又は逓倍数を定めたので、第一の直接変換回路の局部発振器と第二の直接変換回路の局部発振器との各発振周波数が離れて発振信号同士の干渉が少なくなる。また、第一の直接変換回路の一対の混合器に入力される局部発振信号と第二の直接変換回路の一対の混合器に入力される局部発振信号との各周波数が同じになっても、一対の混合器が平衡回路となっているので放射される各局部発振信号は位相キャンセルによってレベルが下がり、互いの干渉が少なくなる。
【００３３】
また、一対の混合器と局部発振器とをそれぞれ有し、前記一対の混合器に入力されたデジタルテレビジョン信号からベースバンド信号を直接出力する第一及び第二の直接変換回路を備え、前記第一の直接変換回路に分周器を設けると共に、前記第二の直接変換回路に逓倍器を設け、前記一対の混合器、前記局部発振器、前記分周器及び前記逓倍器を平衡回路で構成し、前記第一の直接変換回路における前記局部発振器の発振信号を前記分周器を介して前記第一の直接変換回路の前記一対の混合器に入力し、前記第二の直接変換回路における前記局部発振器の発振信号を前記逓倍器を介して前記第二の直接変換回路の前記一対の混合器に入力し、前記分周器及び前記逓倍器は、前記第一及び第二の直接変換回路において中間周波信号の同一チャネルを同時受信する場合に、前記第一の直接変換回路における局部発振器の発振周波数帯と前記第二の直接変換回路における局部発振器の発振周波数帯とが互いに重ならないように、分周比及び逓倍数を定めたので、互いの局部発振器の発振信号の周波数が更に離れて互いの干渉が一層少なくなる。
【００３５】
また、第一の直接変換回路及び第二の直接変換回路をそれぞれ集積回路化したので、一対の混合器のそれぞれの二つの信号入力端あるいは二つの出力端同士が物理的に近づき、放射した局部発振信号が位相キャンセルし易くなる。
【図面の簡単な説明】
【図１】本発明のデュアル型デジタルテレビジョンチューナの構成を示す回路図である。
【図２】本発明のデュアル型デジタルテレビジョンチューナの他の構成を示す回路図である。
【図３】本発明のデュアル型デジタルテレビジョンチューナにおける局部発振周波数の範囲を示す周波数帯域図である。
【図４】従来のデュアル型デジタルテレビジョンチューナの構成を示す回路図である。
【符号の説明】
１  分配器
１０、２０  第一の直接変換回路
１１  第一の中間周波増幅器
１２  第一の利得可変増幅器
１３、１４  第一の混合器
１５、２５  第一の局部発振器
１６  分周器
１７  第一の移相器
１８、１９  第一のベースバンド信号増幅器
２１  第一のＰＬＬ回路
２２  第一の復調器
３０  第二の直接変換回路
３１  第二の中間周波増幅器
３２  第二の利得可変増幅器
３３、３４  第二の混合器
３５  第二の局部発振器
３６  逓倍器
３７  第二の移相器
３８、３９  第二のベースバンド信号増幅器
４１  第二のＰＬＬ回路
４２  第二の復調器
【図１】
0003949389.tif 000002
【図２】
0003949389.tif 000003
【図３】
0003949389.tif 000004
【図４】
0003949389.tif 000005